(57)【要約】【課題】灰溶融炉を備えた灰溶融設備において、灰溶融炉から排出される排ガスを急冷して無害化するための排ガス冷却装置において、冷却水の噴霧量を低減し、排ガスの円滑な吸引を継続して行う。【解決手段】ケーシング１ａの一端閉塞面１ｅに排ガス入口１ｂを設け、他端閉塞面１ｆの近傍に排ガス出口１ｃを設ける。ケーシング１ａ内に冷却水を噴霧する水冷ノズル３を一端閉塞面１ｅに取り付ける。ケーシング１ａをジャケット７で覆って両者間に冷却空気層９を形成し、冷却空気層９内に冷却空気を給排気自在に充填する。これにより、冷却空気層９に断熱効果がある分だけケーシング１ａの断熱材を薄くでき、ケーシング１ａ内の排ガスの放熱量を増やして間接冷却し、排ガスの温度を下げることができる。この間接冷却による効果の分だけ冷却水の噴霧量が低減し、排ガスの含水率が下がるため、煙道の腐食やスケール付着が生じにくくなる。【選択図】      図１
2004347301.tif 000002
【特許請求の範囲】
【請求項１】
筒状の周壁部（１ｄ）の両端がそれぞれ一端閉塞面（１ｅ）および他端閉塞面（１ｆ）で閉塞されたケーシング（１ａ）を有する排ガス冷却装置（１）において、
前記ケーシングの一端閉塞面に排ガス入口（１ｂ）を設けるとともに、
前記ケーシングの他端閉塞面の近傍に排ガス出口（１ｃ）を設け、
前記ケーシングの一端閉塞面に、当該ケーシング内に冷却水を噴霧する水冷ノズル（３）を取り付け、
前記ケーシングをジャケット（７）で覆って両者間に冷却空気層（９）を形成し、
前記冷却空気層内に冷却空気を給排気自在に充填したことを特徴とする排ガス冷却装置。
【請求項２】
前記ジャケット（７）を前記ケーシング（１ａ）の上流側の排ガス管まで延伸したことを特徴とする請求項１に記載の排ガス冷却装置。
【請求項３】
筒状の周壁部（１ｄ）の両端がそれぞれ一端閉塞面（１ｅ）および他端閉塞面（１ｆ）で閉塞されたケーシング（１ａ）を有する排ガス冷却装置（１）において、
前記ケーシングの一端閉塞面に排ガス入口（１ｂ）を設けるとともに、
前記ケーシングの他端閉塞面の近傍に排ガス出口（１ｃ）を設け、
前記ケーシングの一端閉塞面に、当該ケーシング内に冷却水を噴霧する水冷ノズル（３）を取り付け、
前記ケーシングの周壁部に、当該ケーシング内に冷却空気を吹き込む空冷ノズル（４）をその吹き込み方向が当該ケーシングの軸方向と交差するように取り付けたことを特徴とする排ガス冷却装置。
【請求項４】
前記空冷ノズル（４）の吹き込み方向を前記ケーシング（１ａ）の軸心から偏心させたことを特徴とする請求項３に記載の排ガス冷却装置。
【発明の詳細な説明】
【０００１】
【発明の属する技術分野】
本発明は、テルミット式その他の形式の灰溶融炉を備えた灰溶融設備において、焼却灰（主灰）、飛灰などの処理灰を灰溶融炉で溶融処理するときに排出される排ガスを急冷して無害化するための排ガス冷却装置に関するものである。
【０００２】
【従来の技術】
図２は従来の排ガス冷却装置の一例が設置された灰溶融設備を示す概略構成図である。
【０００３】
従来、この種の灰溶融設備においては、図２に示すように、灰溶融炉（図示せず）の下流側に排ガス冷却装置１が設置されており、排ガス冷却装置１の下流側にバグフィルター（ろ過集塵機）２が設置されており、さらに、バグフィルター２の下流側に煙突が設置されている。この排ガス冷却装置１は円筒状のケーシング１ａを有しており、ケーシング１ａの頂面には水冷ノズル３が下向きに取り付けられている。水冷ノズル３には給水ポンプ５を介して貯水タンク６が接続されており、貯水タンク６内には冷却水が貯留されている。そして、灰溶融炉２における灰溶融の際に発生した排ガスは、ダイオキシンなどの有害物質の再合成を防止するため、バグフィルター２に至る前に排ガス冷却装置１で冷却される。
【０００４】
このとき、灰溶融炉から排出されて排ガス冷却装置１に導かれる排ガスは、その温度が約９００℃と高温であり、作業者が不意に排ガス冷却装置１に触れても火傷をしないようケーシング１ａの内側に断熱材が所定の厚さで貼設されて断熱されているので、ケーシング１ａ内の排ガスがケーシング１ａ外へ放熱して間接冷却される効果はほとんど期待できない。そこで、給水ポンプ５を駆動して貯水タンク６内の冷却水を水冷ノズル３から排ガス冷却装置１のケーシング１ａ内に噴霧することにより、この冷却水の蒸発熱（潜熱）を利用して排ガスを急冷していた。
【０００５】
【発明が解決しようとする課題】
しかし、これでは次のような不都合があった。
【０００６】
第１に、この排ガス冷却装置１の排ガス入口１ｂが、図２に示すように、ケーシング１ａの側面上部に横向きに設けられているため、排ガスがケーシング１ａの軸方向（矢印Ａ、Ｂ方向）に対して直角な向きに引き込まれ、その勢いに乗って冷却水がケーシング１ａの内壁面に付着してしまう。すると、冷却水が排ガスとうまく混合できなくなり、排ガスの熱交換率が低下するので、排ガスの冷却が不十分となることから、それを補うべく必要以上の冷却水をケーシング１ａ内に余計に噴霧しなければならない無駄が生じる。
【０００７】
第２に、灰溶融炉からの排ガスは、もともと硫黄酸化物や塩化水素ガスなどの酸性ガスによって露点が上昇して高温下でも液化しやすくなっている状況に加えて、排ガス冷却装置１における冷却水の噴霧によって含水率が増加してしまうことから、煙道が酸によって腐食したり、煙道にスケールが付着して堆積したりする結果、排ガスを円滑に吸引できなくなる危険性がある。
【０００８】
なお、冷却水の噴霧によって増加した排ガスの含水率を下げることにより、煙道の腐食やスケール付着を抑えて排ガスの円滑な吸引を継続して行えるようにするため、図２に示すように、排ガス冷却装置１のケーシング１ａの頂面に空冷ノズル４を水冷ノズル３に近接させて下向きに取り付け、この空冷ノズル４からケーシング１ａ内に冷却空気を吹き込むことにより、排ガスを水冷すると同時に空冷しようとする方法（以下、空水冷同時併用法という。）も採用されていた。
【０００９】
ところが、この空水冷同時併用法では、空冷効果によって排ガスの含水率を下げることはできても、依然として、冷却水の噴霧量を低減することができないばかりか、排ガスの円滑な吸引に支障を来す恐れがある。すなわち、図２に示すように、空冷ノズル４が水冷ノズル３の近傍に取り付けられているので、水冷ノズル３からケーシング１ａ内に冷却水を噴霧したときに、その噴霧パターンが空冷ノズル４からの冷却空気によって乱されることから、蒸発に適した霧状の噴霧パターンが形成されなくなる。そのため、排ガスの熱交換、つまり冷却が効率の悪いものとなり、多量の冷却水の噴霧を余儀なくされる。さらに、冷却水の噴霧と同時に冷却空気が吹き込まれる関係で、冷却水の液滴が大きくなって蒸発しづらくなり、ガス状（完全には固体化されていない状態）のスケール成分が緩慢に冷却される結果、粒子が大きくて硬質のスケールが生成して煙道に付着しやすくなり、ついには煙道がスケールで全面閉塞されて排ガスを吸引することができなくなる危険性がある。
【００１０】
本発明は、このような事情に鑑み、ダイオキシンなどの有害物質の再合成を防ぐべく、灰溶融炉から排出される排ガスを急冷することができるのは勿論のこと、排ガスの冷却に必要な冷却水の噴霧量を低減しうるとともに、排ガスの円滑な吸引を継続して行うことが可能な排ガス冷却装置を提供することを目的とする。
【００１１】
【課題を解決するための手段】
まず、請求項１に記載の本発明は、筒状の周壁部（１ｄ）の両端がそれぞれ一端閉塞面（１ｅ）および他端閉塞面（１ｆ）で閉塞されたケーシング（１ａ）を有する排ガス冷却装置（１）において、前記ケーシングの一端閉塞面に排ガス入口（１ｂ）を設けるとともに、前記ケーシングの他端閉塞面の近傍に排ガス出口（１ｃ）を設け、前記ケーシングの一端閉塞面に、当該ケーシング内に冷却水を噴霧する水冷ノズル（３）を取り付け、前記ケーシングをジャケット（７）で覆って両者間に冷却空気層（９）を形成し、前記冷却空気層内に冷却空気を給排気自在に充填して構成される。
【００１２】
また、請求項２に記載の本発明は、前記ジャケット（７）を前記ケーシング（１ａ）の上流側の排ガス管まで延伸して構成される。
【００１３】
これらの構成を採用することにより、ケーシングの排ガス入口から排ガスを給気してケーシングの軸方向にまっすぐ導き、この排ガスに水冷ノズルから冷却水を噴霧することができる。その結果、排ガスが冷却水とうまく混合し、その熱交換率が向上するため、排ガスを水冷によって急速に冷却することが可能となり、必要以上の冷却水を噴霧する必要がなくなる。また、冷却空気層に断熱効果がある分だけケーシングの断熱材を薄くできるため、ケーシング内の排ガスの放熱量を増やして間接冷却することにより、排ガスの温度を下げることができる。したがって、この間接冷却による効果の分だけ冷却水の噴霧量を低減することができ、ひいては排ガスの含水率を下げることが可能となる。さらに、冷却空気層内の冷却空気が排ガスと熱交換されて昇温するので、こうして昇温した冷却空気を排気して様々な用途に利用できるようになる。
【００１４】
一方、請求項３に記載の本発明は、筒状の周壁部（１ｄ）の両端がそれぞれ一端閉塞面（１ｅ）および他端閉塞面（１ｆ）で閉塞されたケーシング（１ａ）を有する排ガス冷却装置（１）において、前記ケーシングの一端閉塞面に排ガス入口（１ｂ）を設けるとともに、前記ケーシングの他端閉塞面の近傍に排ガス出口（１ｃ）を設け、前記ケーシングの一端閉塞面に、当該ケーシング内に冷却水を噴霧する水冷ノズル（３）を取り付け、前記ケーシングの周壁部に、当該ケーシング内に冷却空気を吹き込む空冷ノズル（４）をその吹き込み方向が当該ケーシングの軸方向（矢印Ａ、Ｂ方向）と交差するように取り付けて構成される。
【００１５】
こうした構成を採用することにより、ケーシングの排ガス入口から排ガスを給気してケーシングの軸方向にまっすぐ導き、この排ガスに水冷ノズルから冷却水を噴霧することができる。その結果、排ガスが冷却水とうまく混合し、その熱交換率が向上するため、排ガスを水冷によって急速に冷却することが可能となり、必要以上の冷却水を噴霧する必要がなくなる。そして、こうして排ガスが水冷された後、この排ガスに空冷ノズルから横向きに冷却空気を吹き付けることができるので、排ガスを直接的に空冷してさらに冷却することができると同時に、排ガスの含水率を下げて煙道の腐食やスケール付着を抑えることが可能となる。また、排ガスの水冷は空冷に先立って行われるので、冷却空気が冷却水の噴霧パターンを乱すことはなく、蒸発に適した霧状の噴霧パターンが形成されて排ガスが効率よく冷却される。さらに、排ガスの空冷は水冷の後に行われるので、スケール成分が完全に固体化された低温領域において冷却空気が吹き込まれることとなり、粒子が大きくて硬質のスケールが煙道に付着する事態の発生を抑制することができる。
【００１６】
また、請求項４に記載の本発明は、前記空冷ノズル（４）の吹き込み方向を前記ケーシング（１ａ）の軸心から偏心させて構成される。かかる構成により、空冷ノズルからケーシング内に吹き込まれる冷却空気が旋回流を形成するため、ケーシング内における排ガスが冷却空気と効率よく混合され、排ガスの冷却および含水率低下が一段と促進されるようになる。
【００１７】
【発明の実施の形態】
以下、本発明の実施形態を図面に基づいて説明する。
【００１８】
図１は本発明に係る排ガス冷却装置の一実施形態が設置された灰溶融設備を示す図であって、（ａ）はその概略構成図、（ｂ）は排ガス冷却装置の水平断面図である。
【００１９】
この灰溶融設備では、図１（ａ）に示すように、灰溶融炉（図示せず）の下流側に排ガス冷却装置１が設置されており、排ガス冷却装置１の下流側にバグフィルター（ろ過集塵機）２が設置されており、さらに、バグフィルター２の下流側に煙突が設置されている。
【００２０】
この排ガス冷却装置１は、図１に示すように、ケーシング１ａを有しており、ケーシング１ａは円筒状の周壁部１ｄを備えている。周壁部１ｄの上端は円錐台状の一端閉塞面１ｅで閉塞されており、周壁部１ｄの下端は円盤状の他端閉塞面１ｆで閉塞されている。ケーシング１ａの一端閉塞面１ｅには、その中心部に排ガス入口１ｂが下向きに形成されているとともに、この排ガス入口１ｂを取り囲む形で複数個（図１では２個）の水冷ノズル３が斜め下向きに取り付けられている。これらの水冷ノズル３には給水ポンプ５を介して貯水タンク６が接続されており、貯水タンク６内には冷却水が貯留されている。また、ケーシング１ａの他端閉塞面１ｆには飛灰掻き取り機８が装着されているとともに、他端閉塞面１ｆの近傍には排ガス出口１ｃが斜め上向きに形成されている。
【００２１】
さらに、ケーシング１ａの周壁部１ｄの軸方向ほぼ中央部には複数個（図１では２個）の空冷ノズル４が周壁部１ｄの円周に沿って等角度間隔（空冷ノズル４が２個のときは１８０°間隔）で配置されて横向きに取り付けられており、これら空冷ノズル４の吹き込み方向は、図１（ａ）に示すように、ケーシング１ａの軸方向（矢印Ａ、Ｂ方向）と直交し、かつ、図１（ｂ）に示すように、ケーシング１ａの軸心から同じ向き（ケーシング１ａの一端閉塞面１ｅから見て右向き）にずれつつ周壁部１ｄから遠ざけられた形で偏心している。
【００２２】
また、ケーシング１ａの周壁部１ｄ、一端閉塞面１ｅおよび他端閉塞面１ｆの内側には断熱材（図示せず）が所定の厚さで貼設されており、ケーシング１ａは、その上流側（灰溶融炉側）の排ガス管（図示せず）まで延伸するジャケット７で覆われた二重構造となっている。そして、ケーシング１ａとジャケット７との間には冷却空気層９が形成されており、冷却空気層９内には冷却空気が給排気自在に充填されている。すなわち、冷却空気層９には冷却空気を下方から給気することができるとともに、こうして冷却空気層９に給気された冷却空気を上方へ排気することができる。
【００２３】
この灰溶融設備は以上のような構成を有するので、灰溶融炉における灰溶融の際に発生した排ガスを大気に放出するときには、煙突の上流側に設置された排風機（図示せず）を駆動して、灰溶融炉の排ガスを煙突側（下流側）へ負圧吸引する。さらに、給水ポンプ５を駆動して、貯水タンク６内の冷却水を各水冷ノズル３から排ガス冷却装置１のケーシング１ａ内に斜め下向きに噴霧するとともに、各空冷ノズル４から冷却空気を排ガス冷却装置１のケーシング１ａ内に横向きに吹き込む。
【００２４】
すると、灰溶融炉の排ガスは排ガス冷却装置１に導かれ、ケーシング１ａの排ガス入口１ｂからケーシング１ａ内に給気され、ケーシング１ａの軸方向（矢印Ｂ方向）にまっすぐ流下した後、ケーシング１ａの側面下部の排ガス出口１ｃからバグフィルター２側（下流側）へ排気される。
【００２５】
この排ガスは、まず、ケーシング１ａ内の上部空間（一端閉塞面１ｅの近傍の空間）において、各水冷ノズル３から斜め下向きに冷却水を噴霧される。このとき、排ガスを給気する排ガス入口１ｂが一端閉塞面１ｅの中心部に下向きに形成されており、排ガスの経路がケーシング１ａの軸方向に沿っているので、排ガス入口１ｂがケーシング１ａの側面上部に横向きに設けられた従来の排ガス冷却装置１と違って、冷却水がケーシング１ａの内壁面に付着する不具合は生じない。その結果、排ガスは冷却水とうまく混合し、その熱交換率が向上するため、冷却水に蒸発熱を奪われて急速に冷却されることとなり、必要以上の冷却水を噴霧しなくても排ガスを十分に冷却することができる。したがって、排ガスを急冷することができるとともに、排ガスの冷却に必要な冷却水の噴霧量を低減することができる。
【００２６】
また、ケーシング１ａの周囲には冷却空気層９が形成されており、この冷却空気層９に断熱効果がある分だけケーシング１ａの断熱材を薄くできるため、ケーシング１ａ内の排ガスの放熱量を増やして間接冷却することにより、排ガスの温度を下げることができる。したがって、この間接冷却による効果の分だけ冷却水の噴霧量を低減することができ、ひいては排ガスの含水率を下げることが可能となる。その結果、煙道の腐食やスケール付着が生じにくくなるため、排ガスの円滑な吸引を継続することが可能となる。
【００２７】
なお、冷却空気層９内の冷却空気は排ガスと熱交換されて昇温するので、こうして昇温した冷却空気を上方へ排気して様々な用途（例えば、燃焼空気の予熱、灰溶融設備の給湯など）に利用することができる。
【００２８】
こうして水冷された排ガスは、次に、ケーシング１ａ内の中央部空間において、各空冷ノズル４から横向きに冷却空気を吹き付けられる。その結果、排ガスは冷却空気にさらされて直接的に空冷されるので、さらに冷却されることになる。それと同時に、空冷効果によって排ガスの含水率が一層低下し、煙道の腐食やスケール付着がますます生じにくくなる。しかも、空冷ノズル４の吹き込み方向はケーシング１ａの軸心から偏心しているため、冷却空気はケーシング１ａ内で旋回流を形成し、排ガスと効率よく混合されるので、排ガスの冷却および含水率低下が一段と促進されることになる。したがって、この点からも排ガスを急冷することができるとともに、排ガスの円滑な吸引を継続して行うことが可能となる。
【００２９】
このように、灰溶融炉の排ガスは排ガス冷却装置１のケーシング１ａ内で水冷および空冷によって急冷されるので、ダイオキシンなどの有害物質の再合成を防止することが可能となる。また、排ガスの水冷はその空冷に先立って行われるので、各空冷ノズル４から冷却空気が吹き付けられても、その冷却空気が冷却水の噴霧パターンを乱す事態は発生せず、蒸発に適した霧状の噴霧パターンが形成されるため、排ガスが効率よく水冷されることになる。したがって、この点からも排ガスを急冷することができる。さらに、排ガスの空冷はその水冷の後に行われるので、スケール成分が完全に固体化された低温領域において冷却空気が吹き込まれることとなり、粒子が大きくて硬質のスケールが煙道に付着する事態の発生を抑制することができる。したがって、この点からも排ガスの円滑な吸引を継続して行うことができる。なお、空冷ノズル４の吹き込み方向は周壁部１ｄから遠ざけられているため、冷却空気は冷却水の流れに影響を及ぼすことなく排ガスとうまく混合されることになる。
【００３０】
こうして、排ガス冷却装置１において排ガスが冷却水および冷却空気によって急冷された後、この排ガスはバグフィルター１１に導かれ、溶融飛灰などの塵埃が取り除かれた後、煙突から大気に放出される。ここで、灰溶融炉の排ガスを大気に放出する処理が終了する。なお、排ガス冷却装置１のケーシング１ａ底部に溜まった飛灰は、飛灰掻き取り機８によって掻き取るようにして排出することができる。
【００３１】
なお、上述の実施形態においては、円筒状の周壁部１ｄを有するケーシング１ａを縦置きで設置した排ガス冷却装置１について説明したが、ケーシング１ａの周壁部１ｄの形状は円筒状に限るわけではなく、円筒状以外の筒状（例えば、六角筒状や八角筒状）の周壁部１ｄを有するケーシング１ａを代用してもよい。また、ケーシング１ａの設置方式は縦置きに限られず、ケーシング１ａを横置きや斜め置きで設置することも可能である。
【００３２】
なお、上述の実施形態においては、２個の空冷ノズル４をケーシング１ａの円周に沿って配置し、冷却空気に旋回流を生じさせるために各空冷ノズル４の吹き込み方向を偏心させた場合について説明したが、空冷ノズルの個数は１個以上であれば何個でもよく、また、冷却空気に旋回流を生じさせる必要がない場合には空冷ノズル４の吹き込み方向を偏心させなくても構わない。
【００３３】
【発明の効果】
以上説明したように、請求項１、２に記載の本発明によれば、ケーシングの排ガス入口から排ガスを給気してケーシングの軸方向にまっすぐ導き、この排ガスに水冷ノズルから冷却水を噴霧することができる結果、排ガスが冷却水とうまく混合し、その熱交換率が向上するため、排ガスを水冷によって急速に冷却することが可能となり、必要以上の冷却水を噴霧する必要がなくなる。したがって、ダイオキシンなどの有害物質の再合成を防ぐべく、灰溶融炉から排出される排ガスを急冷することができるのは勿論のこと、排ガスの冷却に必要な冷却水の噴霧量を低減することができる。
【００３４】
また、冷却空気層に断熱効果がある分だけケーシングの断熱材を薄くできるため、ケーシング内の排ガスの放熱量を増やして間接冷却することにより、排ガスの温度を下げることができる。したがって、この間接冷却による効果の分だけ冷却水の噴霧量を低減することができ、ひいては排ガスの含水率を下げることが可能となる。その結果、煙道の腐食やスケール付着を抑えて排ガスの円滑な吸引を継続することができる。
【００３５】
さらに、冷却空気層内の冷却空気が排ガスと熱交換されて昇温するので、こうして昇温した冷却空気を排気して様々な用途に利用することができ、熱エネルギーの有効活用につながる。
【００３６】
一方、請求項３に記載の本発明によれば、ケーシングの排ガス入口から排ガスを給気してケーシングの軸方向にまっすぐ導き、この排ガスに水冷ノズルから冷却水を噴霧することができる結果、排ガスが冷却水とうまく混合し、その熱交換率が向上するため、排ガスを水冷によって急速に冷却することが可能となり、必要以上の冷却水を噴霧する必要がなくなる。したがって、ダイオキシンなどの有害物質の再合成を防ぐべく、灰溶融炉から排出される排ガスを急冷することができるのは勿論のこと、排ガスの冷却に必要な冷却水の噴霧量を低減することができる。
【００３７】
そして、こうして排ガスが水冷された後、この排ガスに空冷ノズルから横向きに冷却空気を吹き付けることができるので、排ガスを直接的に空冷してさらに冷却することができると同時に、排ガスの含水率を下げて煙道の腐食やスケール付着を抑えることが可能となる。したがって、ダイオキシンなどの有害物質の再合成を防ぐべく、灰溶融炉から排出される排ガスを急冷することができるのは勿論のこと、排ガスの円滑な吸引を継続して行うことが可能となる。
【００３８】
また、排ガスの水冷は空冷に先立って行われるので、冷却空気が冷却水の噴霧パターンを乱すことはなく、蒸発に適した霧状の噴霧パターンが形成されて排ガスが効率よく冷却される。したがって、この点からも、灰溶融炉から排出される排ガスを急冷することができる。
【００３９】
さらに、排ガスの空冷は水冷の後に行われるので、スケール成分が完全に固体化された低温領域において冷却空気が吹き込まれることとなり、粒子が大きくて硬質のスケールが煙道に付着する事態の発生を抑制することができる。したがって、この点からも、排ガスの円滑な吸引を継続して行うことができる。
【００４０】
また、請求項４に記載の本発明によれば、空冷ノズルからケーシング内に吹き込まれる冷却空気が旋回流を形成するため、ケーシング内における排ガスが冷却空気と効率よく混合され、排ガスの冷却および含水率低下が一段と促進されることから、上述した効果を一層顕著なものとすることができる。
【図面の簡単な説明】
【図１】本発明に係る排ガス冷却装置の一実施形態が設置された灰溶融設備を示す図であって、（ａ）はその概略構成図、（ｂ）は排ガス冷却装置の水平断面図である。
【図２】従来の排ガス冷却装置の一例が設置された灰溶融設備を示す概略構成図である。
【符号の説明】
１……排ガス冷却装置
１ａ……ケーシング
１ｂ……排ガス入口
１ｃ……排ガス出口
１ｄ……周壁部
１ｅ……一端閉塞面
１ｆ……他端閉塞面
３……水冷ノズル
４……空冷ノズル
７……ジャケット
９……冷却空気層
【図１】
2004347301.tif 000003
【図２】
2004347301.tif 000004